(57)【要約】【課題】  ＩＣコインを貯留する容量を確保しつつコンパクト化した構造により遊技媒体貸出機等への組み込みに適したＩＣコイン処理装置を提供する。【解決手段】  ＩＣコインに対し記録・再生等のデータ処理、貯留、発行、回収等の処理を行うＩＣコイン処理装置であり、ＩＣコインを斜めに積層して収容するストック部（１２０）と、ＩＣコインの積層方向と直交する方向に往復動作し、ストックした最下のＩＣコインの下側にＩＣコインを挿入して追加収容するとともに、ストックしたＩＣコインを投入口（１０２）側から排出する搬送プレート（１１０）とを備える。【選択図】  図６
2007007161.tif 000002
【特許請求の範囲】
【請求項１】
ＩＣチップを内蔵してコイン状に形成した情報記録媒体であるＩＣコインに対し無線通信によりデータの読み取り及び書き込み処理を行うデータ処理手段を備えるＩＣコイン処理装置であって、
ＩＣコインを保持する保持部が形成され、投入口から投入されたＩＣコインを前記データ処理手段によるデータ処理を行い得る位置に保持し、また保持したＩＣコインを所定位置まで搬入する往復動作可能な搬送プレートと、
前記搬送プレートの搬入移動する側に設けられ、前記所定位置で複数のＩＣコインをその板厚方向に積層した状態で収容するストック部とを備え、
前記保持部に一つのＩＣコインを保持して前記搬送プレートを前記ストック部側に移動させ、収容されている最下位置のＩＣコインの下側に当該保持したＩＣコインを挿入して追加収容するように構成したことを特徴とするＩＣコイン処理装置。
【請求項２】
前記ストック部には、当該ストック部に収容されるＩＣコインの積層方向に沿って昇降移動が可能であり、その上位の第１位置では、当該ストック部に収容される最下位置のＩＣコインの両縁部を外側から抱え前記搬送プレートから離脱した状態で支持し、その下位の第２位置では、前記搬送プレートに跨り当該ストック部に収容されるＩＣコインを当該搬送プレートに載置してその支持状態を解除する昇降手段が設けられていることを特徴とする請求項１に記載のＩＣコイン処理装置。
【請求項３】
前記搬送プレートを前記ストック部側へ移動し、前記昇降手段を前記第１位置から前記第２位置に制御することにより、当該ストック部に収容されている最下位置のＩＣコインを前記保持部に載置し、当該搬送プレートを前記投入口側へ移動させることで、当該ストック部から一つのＩＣコインを搬出するように構成したことを特徴とする請求項２に記載のＩＣコイン処理装置。
【請求項４】
ＩＣコインの投入方向を斜め下方とする所定の傾斜角を有して前記搬送プレートを配設し、当該搬送プレートによる搬入方向と直交する斜め上方に向けてＩＣコインを積層して収容するように前記ストック部を形成したことを特徴とする請求項１〜３の何れか１項に記載のＩＣコイン処理装置。
【請求項５】
前記ストック部内に積層状態で収容される各ＩＣコインの外周面を当接支持する傾斜する内壁の所定高さ位置に回収口を開口形成し、一定枚数以上に積層した最上位置のＩＣコインを当該回収口より落下させて回収するように構成したことを特徴とする請求項４に記載のＩＣコイン処理装置。
【発明の詳細な説明】
【技術分野】
【０００１】
本発明は、コイン型の情報記録媒体であるＩＣコインに対しデータの取得及び更新等の処理や、投入されたＩＣコインの返却、回収並びにＩＣコインの発行等の処理を行うＩＣコイン処理装置に関し、より詳しくは、パチンコ機、スロットマシン等の遊技機に使用する遊技媒体を遊技者が所持するＩＣコインの記録内容に基づいて貸し出しを行う遊技媒体貸出機等への組み込みに適したＩＣコイン処理装置に関する。
【背景技術】
【０００２】
一般に、パチンコ機、スロットマシンまたはアミューズメント機等の遊技機が設置されるホールにおいては、遊技客が現金若しくはプリペイドカードを投入するに応じて、遊技に使用するパチンコ玉やメダル等の遊技媒体を貸し出す、台間機と呼ばれる遊技媒体貸出機が各遊技機に隣接して設けられている。
【０００３】
ところで、近年、顧客会員制を導入するホールでは、従来の磁気カード等によるプリペイドカード若しくは会員カードに替わり、データ保護の対策が施された安全性の高いＩＣチップを樹脂材で封止してコイン状に形成したＩＣコインを金銭代用媒体として採用するシステムが提案されている（例えば特許文献１参照）。このシステムによれば、ＩＣコインに記録された価額データを消費してパチンコ玉等の遊技媒体を遊技客に貸し出したり（プリペイド機能）、ＩＣコインから読み取った会員ＩＤに基づいて遊技客を当該ホールの会員として認証しサービスを提供することができる（会員サービス機能）。例えば、非会員の遊技客であっても価額データをＩＣコインにチャージすることで遊技に繰り返し使用することができ、また、ＩＣコインにより会員として認証された遊技客は、貯玉再プレイ、景品交換、ポイント加算、キャンペーン情報の提供などのサービスをホールから受けることができる。このように、遊技業界においては、様々な質の高いサービスを提供し得るＩＣコインの用途拡大が期待されている。
【０００４】
ＩＣコインは、所定の通信手続きを電磁波を介して行うことで、内部に埋め込まれたＩＣチップに対し非接触でデータの記録（書き込み）と再生（読み取り）ができる。例えば、上述した台間機には、ＩＣコインのデータの記録再生機能を有するユニット化されたＩＣコイン処理装置が組み込まれ、ＩＣコインの投入を受けて価額データまたは会員ＩＤ等の情報を読み取り、また精算の際には未使用分の価額をＩＣチップに記録して再使用可能なＩＣコインとして遊技者に返却している。また、この処理装置は、使用済みの（価額データがゼロとなった）ＩＣコインを一旦貯留するとともに、貯留したＩＣコインに新たな価額データを記録して発行する機能も要請される（例えば特許文献２参照）。すなわち、台間機に現金を投入した遊技客に対し、精算の際にその釣銭を現金ではなくＩＣコインで返却できるようにするためである。
【０００５】
【特許文献１】特開２００３−０１９３４１号公報
【特許文献２】特開２００１−３３１８３４号公報
【発明の開示】
【発明が解決しようとする課題】
【０００６】
上述したように、台間機（遊技媒体貸出機）等に設けられるＩＣコイン処理装置は、不足したＩＣコインの補給を要せずに安定して発行処理ができるようにするために、その貯留する容量が大きいほど望ましい。その一方で、遊技媒体貸出機内の制約された設置スペースに組み込むことができるように、その構造もコンパクトであることが要求される。
【０００７】
本発明は、こうした課題に鑑みてなされたものであり、ＩＣコインを貯留する容量を充分に確保できる一方でコンパクト化した構造により遊技媒体貸出機等への組み込みに適したＩＣコイン処理装置を提供することを目的としている。
【課題を解決するための手段】
【０００８】
上述の課題を解決するため、請求項１に記載の発明は、ＩＣチップを内蔵してコイン状に形成した情報記録媒体であるＩＣコインに対し無線通信によりデータの読み取り及び書き込み処理を行うデータ処理手段を備えるＩＣコイン処理装置であって、ＩＣコインを保持する保持部が形成され、投入口から投入されたＩＣコインを前記データ処理手段によるデータ処理を行い得る位置に保持し、また保持したＩＣコインを所定位置まで搬入する往復動作可能な搬送プレートと、前記搬送プレートの搬入移動する側に設けられ、前記所定位置で複数のＩＣコインをその板厚方向に積層した状態で収容するストック部とを備え、前記保持部に一つのＩＣコインを保持して前記搬送プレートを前記ストック部側に移動させ、収容されている最下位置のＩＣコインの下側に当該保持したＩＣコインを挿入して追加収容するように構成したことを特徴とする。
【０００９】
請求項１に記載のＩＣコイン処理装置によれば、投入口から投入されたＩＣコインに対しデータ処理手段がデータの読み取り及び書き込み処理を行い、データ処理されたＩＣコインを搬送プレートが所定位置まで搬入する。搬送プレートは、ストック部に積層した状態で収容されている最下位置のＩＣコインの下側に当該データ処理がされたＩＣコインを挿入して追加収容する。このように、データ処理されたＩＣコインをストック部に搬送するとともにその板厚方向に積層して収容するため、貯留スペース内に従来よりも多くのＩＣコインを貯留することができ装置のコンパクト化が図られる。
【００１０】
請求項２に記載の発明は、請求項１に記載のＩＣコイン処理装置であって、前記ストック部には、当該ストック部に収容されるＩＣコインの積層方向に沿って昇降移動が可能であり、その上位の第１位置では、当該ストック部に収容される最下位置のＩＣコインの両縁部を外側から抱え前記搬送プレートから離脱した状態で支持し、その下位の第２位置では、前記搬送プレートに跨り当該ストック部に収容されるＩＣコインを当該搬送プレートに載置してその支持状態を解除する昇降手段が設けられていることを特徴とする。
【００１１】
請求項２に記載のＩＣコイン処理装置によれば、昇降手段が第１位置に制御されることにより積層状態のＩＣコインを搬送プレートから離脱させ、昇降手段が第２位置に制御されることにより当該ストック部に収容されるＩＣコインを搬送プレートに載置し得る状態となる。搬送プレートの往復動作と連携して昇降手段を制御することで、ＩＣコインを積層状態に追加収容し、また積層状態に収容したＩＣコインの搬出を可能にする。
【００１２】
請求項３に記載の発明は、請求項２に記載のＩＣコイン処理装置であって、前記搬送プレートを前記ストック部側へ移動し、前記昇降手段を前記第１位置から前記第２位置に制御することにより、当該ストック部に収容されている最下位置のＩＣコインを前記保持部に載置し、当該搬送プレートを前記投入口側へ移動させることで、当該ストック部から一つのＩＣコインを搬出するように構成したことを特徴とする。
【００１３】
請求項３に記載のＩＣコイン処理装置によれば、ストック部に収容されている最下位置のＩＣコインを搬送プレートの保持部に載置し、この状態で搬送プレートを投入口側へ移動させて当該ＩＣコインを搬出する構成としたので、ＩＣコインの投入と排出とを共通の１つの投入口及び搬送路を介して実現でき、装置のコンパクト化が図られる。
【００１４】
請求項４に記載の発明は、請求項１〜３の何れか１項に記載のＩＣコイン処理装置であって、ＩＣコインの投入方向を斜め下方とする所定の傾斜角を有して前記搬送プレートを配設し、当該搬送プレートによる搬入方向と直交する斜め上方に向けてＩＣコインを積層して収容するように前記ストック部を形成したことを特徴とする。
【００１５】
請求項４に記載のＩＣコイン処理装置によれば、ＩＣコインの貯留容量を確保しつつ装置全体をコンパクトに構成することができる。
【００１６】
請求項５に記載の発明は、請求項４に記載のＩＣコイン処理装置であって、前記ストック部内に積層状態で収容される各ＩＣコインの外周面を当接支持する傾斜する内壁の所定高さ位置に回収口を開口形成し、一定枚数以上に積層した最上位置のＩＣコインを当該回収口より落下させて回収するように構成したことを特徴とする。
【００１７】
請求項５に記載のＩＣコイン処理装置によれば、ストック部の傾斜する内壁に当接支持されて所定高さ以上に積層した最上位置のＩＣコインを回収口より落下させて回収する。したがって、ＩＣコインを貯留容量の範囲内でストックする機能を能動的な機構を要さずに実現することができる。
【発明の効果】
【００１８】
本発明のＩＣコイン処理装置によれば、ＩＣコインの投入と排出とを共通の１つの投入口及び搬送路を介して実現でき、またＩＣコインのデータ処理及び貯留、並びに貯留されたＩＣコインの発行及び回収等を行う機構を簡素化することができる。また、データ処理されたＩＣコインをその板厚方向に積層して収容するため、貯留スペース内に従来よりも多くのＩＣコインを貯留することができる。このように、ＩＣコインの貯留容量を確保しつつ装置の全体構成をコンパクトにすることができるため、ＩＣコインを金銭代用媒体として扱う遊技媒体貸出機等の装置機器への組み込みに好適となる。
【発明を実施するための最良の形態】
【００１９】
以下、本発明の好適な実施形態を図面を参照しながら説明する。まず、パチンコホール等の遊技店舗に設けられ、本発明に係るＩＣコイン処理装置が組み込まれた台間玉貸機を含む遊技施設について説明する。
【００２０】
図１は、パチンコホール等に設けられる遊技施設の構成を表すネットワークシステム図である。一般にホールの遊技スペースには、複数台のパチンコ機１０と、パチンコ玉を遊技機へ払い出す台間玉貸機２０を各パチンコ機１０に隣接して設置することにより、パチンコ機の遊技島が構成されている。他にスロットマシン３０についても、それぞれに隣接して台間メダル貸機４０を設置し、遊技島が構成される。複数の遊技機を一列に配置した遊技島の一端には、大当たり等の各遊技機の稼動状態を監視し、また各台間機による売上げ等を集計する島制御装置を収容する島端ボックス１５、３５が設置されている。なお、島制御装置は、各台間機をホール内に敷設された通信回線５０に回線接続するための中継器としても機能する。
【００２１】
遊技スペースの適宜の場所には、投入された現金の金額を価額データ（電子マネー）としてＩＣコインに記録して発行するＩＣコイン発行機６０と、ＩＣコインが保有する価額を現金で払い戻すＩＣコイン精算機７０とが設置される。ＩＣコイン発行機６０により発行されたＩＣコインはプリペイド機能を有し、ホールの会員または非会員に関わらずＩＣコインを用いてパチンコ玉等の遊技媒体を取得することができる。なお、詳細は後述するが、本発明に係るＩＣコイン処理装置１００を備える台間玉貸機２０においても新規にＩＣコインを発行する機能を有している。
【００２２】
また、貯玉再プレイ、マイレージポイントの管理及び景品交換等の会員を対象とするサービスの提供を実現するための会員管理コンピュータ８０、玉計数機８１、ＰＯＳ端末８２等が通信回線５０を介して相互に回線接続されている。
【００２３】
会員管理コンピュータ８０は、磁気ディスク装置等の情報記録装置に、例えば各会員の会員ＩＤごとに属性情報を対応づけて作成した会員管理ファイルを更新可能に記録管理している。記録管理される会員の属性情報としては、その会員が再プレイをするためにホールに預けた貯玉のデータ、遊技をするごとに加算されるマイレージポイント、会員を個人認証するためのパスワード（暗証番号）等の会員情報の他に、氏名、生年月日、メールアドレス、趣味等の個人情報も含まれる。
【００２４】
玉計数機８１は、遊技終了時に余ったパチンコ玉を再プレイ可能な貯玉としてホールに預けるための装置であり、投入されたパチンコ玉の個数を高速で計数する計数部と、遊技客が所持する会員用のＩＣコインから会員ＩＤを読み取るＩＣコイン処理部とを備えている。すなわち、遊技客がＩＣコインを玉計数機８１にセットし、余ったパチンコ玉を上面の玉投入口から投入すると、計数部が計数したパチンコ玉の個数及びＩＣコイン処理部が読み取った会員ＩＤの情報を付加して貯玉要求の信号を会員管理コンピュータ８０へ送信する。会員管理コンピュータ８０は、貯玉要求の受信に応じて当該会員ＩＤに基づく貯玉数のデータを受信した計数値だけ加算して会員管理ファイルを更新する。これにより、当該遊技客会員は、余ったパチンコ玉をホールに貯玉し、後日、預けた貯玉を使って再プレイ及び景品交換等のサービスを受けることができる。
【００２５】
ＰＯＳ端末８２は、通常、ホールの景品交換カウンタに設置され、例えばタッチパネル式の液晶表示部とキーボード及びバーコードリーダとを有するレジ機であり、セットされたＩＣコインから情報を読み取って遊技客を会員として認証をするための会員認証機８２ａが接続されている。
【００２６】
例えば、遊技客会員が貯玉を景品に交換する場合には、会員用として本人が所持しているＩＣコインを会員認証機８２ａにセットし、キーボードにパスワードを入力する。ＰＯＳ端末８２は、会員認証機８２ａがＩＣコインから読み取った会員ＩＤと、キーボードに入力されたパスワードとを付加して認証要求の信号を会員管理コンピュータ８０へ送信する。会員管理コンピュータ８０は、受信した会員ＩＤとパスワードとを上述の会員管理ファイルを参照して照合し、これらが対応関係を有していれば当該遊技客を会員として認証する。そして、会員管理ファイルからそのその会員が保有する貯玉数データを会員の情報とともにＰＯＳ端末８２へ返信する。
【００２７】
ＰＯＳ端末８２は、受信した貯玉数データをレジ機に表示させるとともに、その貯玉数の範囲内で交換可能な景品のリスト等を表示させる。当該会員である遊技客が表示された景品リストのなかから欲しい景品をタッチパネルで選択するか、または遊技客が申し出る景品のバーコードをバーコードリーダで読み取らせることで、ＰＯＳ端末８２は、会員管理コンピュータ８０に対し貯玉の決済（当該景品の交換価額に相当する貯玉数データの消費）を要求する信号を送信する。そして、ＰＯＳ端末８２が会員管理コンピュータ８０から決済完了の信号を受信することにより、景品を遊技客に引き渡して交換が成立する。
【００２８】
本発明に係るＩＣコイン処理装置は、ＩＣコインを扱う上述したＩＣコイン発行機６０、ＩＣコイン精算機７０、玉計数機８１、ＰＯＳ端末８２に付帯する会員認証機８２ａ等の機器装置に組み込んで適用することができるが、ここでは一例として、ＩＣコインに記録した価額データに基づいてパチンコ玉の貸し出しを行う台間玉貸機２０に内蔵される実施形態を説明する。
【００２９】
図２は、台間玉貸機２０の前面外観を表した正面図、図３は、台間玉貸機２０の内部構成を表した側面図である。なお、台間玉貸機２０は、前面の化粧板として一体形成される縦長のフロントマスク２１と、金属フレームからなる矩形の筐体２９とを備えている。
【００３０】
まず、図２を参照して、台間玉貸機２０のフロント構造を説明する。台間玉貸機２０のフロントマスク２１の上段位置には、遊技客がパチンコ玉を取得する際に紙幣を投入するための紙幣投入口２２と、ＩＣコインを受け入れ、また排出するためのＩＣコイン出入口２４とが形成されている。
【００３１】
ＩＣコイン出入口２４には、遊技客がＩＣコインを投入し、また排出されたＩＣコインを取り出し易いように、斜め前方に突出してその上側が開放して形成されたコインプレート２４ａが設けられている。
【００３２】
また、ＩＣコイン出入口２４の下方に、紙幣またはＩＣコインの投入により現在使用可能な金額残高（異常の場合にはエラーコード等）を表示する７セグＬＥＤからなる残高表示部２５と、パチンコ玉の貸し出しを指示するための押圧スイッチである貸出スイッチ２６と、残高を精算して釣銭の替わりにＩＣコインをＩＣコイン出入口２４から返却させる指示するための押圧スイッチである返却スイッチ２７とが配置されている。
【００３３】
フロントマスク２１のほぼ中段の位置には、貸し出し操作に応じて所定数のパチンコ玉をパチンコ機（１０）の受け皿へ排出するための玉払出ノズル２８が水平方向に揺動自在に取り付けられている。
【００３４】
図３を参照し、台間玉貸機２０の筐体２９内の上部には、紙幣投入口２２から投入された紙幣の真偽及び金額を識別する紙幣識別装置２３０が設けられる。紙幣識別装置２３０の背面側には、真正であると識別した紙幣を排出し、島設備のひとつである図示しない紙幣搬送装置へ排出するための紙幣出口２３１が形成されている。
【００３５】
紙幣識別装置２３０の下方には、本発明に係るＩＣコイン処理装置１００が配置されている。詳細は後述するが、ＩＣコイン処理装置１００は、投入されたＩＣコインが記録する価額データを読み取る機能と、ＩＣコインを所定の枚数まで貯留（ストック）し、オーバーフローしたＩＣコインを下方の回収タンク１９０へ落下させて回収する機能と、残高を価額データとして記録してＩＣコインを発行する機能等を備えている。なお、ＩＣコイン処理装置１００は、ＣＰＵ、ＲＯＭ、ＲＡＭ等を回路基板に実装するマイコンベースのＩＣコイン制御基板１８０により動作制御される。
【００３６】
筐体２９内の下部スペースには、玉払出ユニット２２０と、玉払出制御基板２１０と、通信ユニット２４０が配置されている。玉払出制御基板２１０もＣＰＵ２１１、ＲＯＭ２１２、ＲＡＭ２１３等の電子部品を備えるマイコンから形成された制御基板であり、主として玉払出ユニット２２０に対しパチンコ玉の払い出し制御を行っている。
【００３７】
図４は、台間玉貸機２０に内蔵される上述の機器ユニット間の回路構成を表したブロック図である。同図によれば、玉払出制御基板２１０には、紙幣識別装置２３０、ＩＣコイン制御基板１８０、玉払出ユニット２２０、通信ユニット２４０等の機器ユニットと、フロントマスクに配置した残高表示部２５、貸出スイッチ２６、返却スイッチ２７等がハーネスを介して電気的に接続されている。ＩＣコイン処理装置１００は、ＩＣコイン制御基板１８０を介して玉払出制御基板２１０に接続している。また、台間玉貸機２０に隣接するパチンコ機（１０）に対しても、玉払出制御基板２１０は制御信号の送受信を可能に接続され、パチンコ機側に設けた図示していない、例えば貸出スイッチ、返却スイッチ等のスイッチ信号（貸出スイッチ信号、返却スイッチ信号）が入力される。なお、ここでは、貸し出し動作の際に玉払出制御基板２１０が玉払出ユニット２２０を駆動して玉払出ノズル（２８）からパチンコ玉を遊技機側に排出する実施形態を説明しているが、適用される遊技機システムの形態に応じて玉払出制御基板２１０が玉払出制御信号を遊技機側に出力することにより、パチンコ玉を遊技機内で内部放出させることもできる。
【００３８】
かかる構成の台間玉貸機２０の動作の概要を説明する。遊技客が紙幣投入口２２から紙幣を投入することにより、紙幣識別装置２３０は、その紙幣の真偽を判別しその金額を識別する。紙幣識別装置２３０は紙幣を真正であると判定すると、その金額情報を示す真券信号を玉払出制御基板２１０へ送信する。真券信号は、具体的には金額に応じた回数のパルス信号として出力される。玉払出制御基板２１０のＣＰＵ２１１は、真券信号をカウントし、ＲＡＭ等の所定のメモリ領域に記憶した残高データに加算する。すなわち、残高データは、パチンコ玉を取得するために遊技客が台間玉貸機２０に預けた金銭的な価値に相当する。
【００３９】
また、ＩＣコイン出入口２４から１枚のＩＣコインが投入されると、ＩＣコイン制御基板１８０は、そのＩＣコインに記録されている価額データを読み取り、玉払出制御基板２１０に送信して残高データを更新させる。なお、残高データとして記憶された使用可能な金額情報は残高表示部２５により遊技客に表示される。
【００４０】
玉払出制御基板２１０のＣＰＵ２１１は、フロントマスク２１に設けられた貸出スイッチ２６の作動（若しくは貸出スイッチ信号）を検知すると、所定個数のパチンコ玉を払い出すべく玉払出ユニット２２０を制御する。すなわち、玉払出制御基板２１０は、回転することでパチンコ玉を１個づつ順次放出する玉払出手段である玉払出ロータを回転駆動し、玉払出ロータの出口に設けた玉払出センサにより検知される払出玉数が上記個数に達した時に当該玉払出ロータの駆動を停止する制御を行っている。
【００４１】
また、玉払出制御基板２１０のＣＰＵ２１１は、返却スイッチ２７が押圧操作されることにより生成される返却スイッチ信号をＩＣコイン制御基板１８０に転送し、ＩＣコイン処理装置１００に対し後述するＩＣコインの返却処理を実行させる。
【００４２】
なお、通信ユニット２４０は、ホールのローカルの通信回線５０に回線接続しており、当該台間玉貸機２０における入出金等の売上に関する情報がホールコンピュータ等の管理制御装置へ随時、送信されるようになっている。
【００４３】
ここで、本発明のＩＣコイン処理装置１００が取り扱う対象であるＩＣコインについて若干その構造を説明する。図５（ａ）に示される外観形状のＩＣコイン９０は、例えばＡＢＳ（アクリロニトリル・ブタジェン・スチレン）からなる２枚の樹脂円板によりＩＣチップ９１を挟んで封着し、広く使用されているコインとほぼ同寸法に形成した情報記録媒体である。樹脂のみでは、通常の硬貨に比較して軽量であるため転動性が不足し、また端部が欠けやすいといった課題があり、このため外周縁部をステンレスまたは真鍮等の非磁性の金属材料で環状に被覆形成している。
【００４４】
ＩＣコイン９０のほぼ中心部に埋め込まれるＩＣチップ９１は、セラミックスからなる薄い基板部材の表面に銅の配線パターンを接着若しくは厚膜印刷により形成し、そこに、ＭＰＵ（マイクロプロセッサ）や不揮発メモリ等のベアチップＩＣと、微細な導線をコイル状に巻いて形成したアンテナ部材等を実装しモジュール化して構成したものである。
【００４５】
すなわち、ＩＣチップ９１は、例えば図５（ｂ）に示すように、アンテナ９２と、変復調回路（ＣＯＤＥＣ）９３と、ＭＰＵ９４と、ＥＥＰＲＯＭ等のフラッシュメモリであるメモリ９５等を備えて回路が構成されている。ＭＰＵ９４は、アンテナ９２を介して外部から読出要求の信号を受けると、メモリ９５に記憶するデータを変復調回路９３により所定の変調方式でコード化し、同じくアンテナ９２を介してデータを外部に送信する。また、ＭＰＵ９４は、所定の書込要求の信号を受けると、変復調回路９３によりデータをデコードしメモリ９５に記憶する制御を行う。これにより、ＩＣコイン９０は、電磁波を利用して外部から非接触で記憶データの読み取り、及び書き込み処理が可能となっている。
【００４６】
なお、メモリ９５は、バックアップ電流を供給しなくてもデータを保持し続けることが可能なＥＥＰＲＯＭ等の不揮発メモリであるとともに、データの読み取り・書き込み動作に必要な電力がアンテナ９２を介した電磁誘導作用により外部から供給される。このため、ＩＣコイン９０は、バッテリーを搭載せずとも半永久的に使用することができる構成となっている。
【００４７】
次に、本発明に係るＩＣコイン処理装置１００の構造を説明する。ここで、図６は、ＩＣコイン処理装置１００の内部構造を表した縦断面図である。また、図７は、図６に示されるＡ−Ａ線で切断した矢視断面図であって主に搬送プレートの構造を表した図、図８は図６に示されるＢ−Ｂ線で切断した矢視断面図であって主にストック部の構造を表した図である。
【００４８】
図６に示されるように、ＩＣコイン処理装置１００は、樹脂または金属材料から形成される矩形状の筐体１０１内部に、ＩＣコインに対してデータの読み取り及び書き込み処理を行う送受信アンテナからなるリーダーライター部１７０と、複数枚のＩＣコインを収容することができるストック部１２０と、ＩＣコインをストック部１２０へ収容し、またストック部１２０に収容したＩＣコインを搬出する搬送プレート１１０を備える搬送機構が形成されている。
【００４９】
また、本実施形態では、台間玉貸機２０内にＩＣコイン処理装置１００が組み込まれた際、フロントマスク２１に形成したＩＣコイン出入口２４とＩＣコイン処理装置１００の開口部１０２とが位置整合する。これにより、台間玉貸機２０のＩＣコイン出入口２４から前方斜め上方に突出するコインプレート２４ａに載せたＩＣコインが、当該コインプレートに案内されて同方向に傾斜して設けられている搬送プレート１１０へと投下されるように構成されている。
【００５０】
まず、図６と図７を参照して、ＩＣコインを搬送する搬送機構を説明する。これらの図に示されるように、搬送機構は、水平方向に対し例えば４０度の傾斜角を有して配設され且つその方向に往復動作する搬送プレート１１０と、搬送プレート１１０の両側に位置する固定のガイドプレート１５０とから主に構成されている。
【００５１】
搬送プレート１１０は、往復動作する方向を長手方向とする略長方形の板状部材からなり、開口部１０２側に比較的肉薄のコイン保持部１１１が形成され、ストック部１２０側に肉厚のコイン載置部１１２が形成されている。すなわち、略中央の段部１１１ａを境界として、コイン載置部１１２よりもＩＣコインの板厚分だけ凹状にコイン保持部１１１が形成され、これにより、コイン載置部１１２の平坦な上面は、コイン保持部１１１に保持されるＩＣコインの外側面と同一面をなしている。
【００５２】
搬送プレート１１０の下側にはラックギア１１３が形成され、筐体１０１内に設けられた回動モータ１３２の回転力が伝達されるピニオンギア１３１と噛合している。すなわち、回動モータ１３２を正逆方向に回動制御することで、搬送プレート１１０が往復動作（搬出入動作）しその位置が制御される。
【００５３】
また、搬送プレート１１０の前端には、コイン保持部１１１側に突出及び退避可能な排出ストッパ１１４が設けられている。排出ストッパ１１４は、一体形成されたレバー部材１１６を介してコイン保持部１１１の下側面に揺動可能に取り付けられ、圧縮されたバネ１１５により常時はコイン保持部１１１から退避する状態に付勢されている。そして、搬送プレート１１０に固定されたソレノイド１１７を駆動しレバー部材１１６を磁力で引き付けることで、排出ストッパ１１４をコイン保持部１１１側に突出させるように構成されている。
【００５４】
搬送プレート１１０は、上述のラックアンドピニオン機構によりスライド移動し、搬送プレート１１０が前進し当該コイン保持部１１１がリーダーライター部１７０に近接するデータ処理位置から、搬送プレート１１０が後退し当該コイン保持部１１１がストック部１２０に到達するストック位置までの可動範囲内において位置制御される。なお、ここでは、搬送プレート１１０が上述のデータ処理位置からストック位置へ後退する移動方向を「搬入方向」、逆にストック位置からデータ処理位置へ前進する移動方向を「搬出方向」と呼んでいる。
【００５５】
また、図６に示されるように、搬送プレート１１０が前進しデータ処理位置に到達すると、コイン保持部１１１に保持されるＩＣコインに対してリーダーライター部１７０によるデータの読み取り及び書き込み処理が可能となる。筐体１０１には、このデータ処理可能な位置にあるコイン保持部１１１の前端側に突出し及び退避可能に動作する２本の棒状の部材である投入ゲート１４１と、当該コイン保持部１１１の後端側に突出し及び退避可能に動作する同じく２本の棒状の部材である離脱ストッパ１４２とが設けられている。
【００５６】
これら投入ゲート１４１と離脱ストッパ１４２は、ほぼ中央の位置で軸支された揺動可能なレバー部材１４３の各端部に係合し、レバー部材１４３が揺動することで相反する方向に動作する。また、レバー部材１４３は、バネ１４４により、投入ゲート１４１がコイン保持部１１１から退避する側に、離脱ストッパ１４２が突出する側に常時付勢され、筐体１０１に設けたソレノイド１４５を駆動することでレバー部材１４３を磁力で引き付け、投入ゲート１４１をコイン保持部１１１に突出させると同時に離脱ストッパ１４２をコイン保持部１１１から退避するように構成されている。
【００５７】
搬送プレート１１０の両側には、図７に示されるように、側壁部１５３と底部１５２とが一体的に形成されたガイドプレート１５０が固定されている。側壁部１５３は、搬送プレート１１０のコイン保持部１１１に保持したＩＣコインが搬送される際に横ずれするのを防止するガイドとして設けられ、また、コイン保持部１１１と同一レベル面に形成した底部１５２により、ＩＣコインのバタツキを防止している。なお、ガイドプレート１５０の先端部分には、台間玉貸機２０の機外に突出して設けられＩＣコインを投入しまた返却するためのコインプレート２４ａが形成されている。
【００５８】
次に、図６と図８を参照して、ＩＣコインをストックするストック部１２０の構造を説明する。
【００５９】
ストック部１２０には、搬送プレート１１０の設置角度に対して直交する方向に設けられたガイド部１２４と、ガイド部１２４に沿って案内移動される昇降部材１２１と、昇降部材１２１を所定の可動範囲で往復動作させる直動のソレノイド１２３とが備えられている。また、ストック部１２０は、搬送プレート１１０及び搬送プレート１１０に対して直交する傾斜壁１２５等で画成されたスペースに複数枚のＩＣコインを板厚方向に積層した状態で収容し得るように構成されている。
【００６０】
昇降部材１２１は、ＩＣコインの直径相当の間隔を有して対向配置された側板部１２１ａ、１２１ｂと、各側板部の下側端が互いに内向きに折り曲げられてＬ字状突起１２２ａ、１２２ｂが形成され、各側板部を接続する上部においてソレノイド１２３の駆動ロッド１２３ａが連結されている。
【００６１】
すなわち、ソレノイド１２３をオン（駆動）し駆動ロッド１２３ａを縮退させると、昇降部材１２１は、搬送プレート１１０から離脱する位置（第１位置）に移動し、この状態では、ストック部１２０の収容スペースに積層状態で収容される最下位置のＩＣコインの両縁部分をＬ字状突起１２２ａ、１２２ｂで支持し、外側から抱え込むようにして釣り下げることが可能となる。また、ソレノイド１２３をオフし駆動ロッド１２３ａを伸長させると、昇降部材１２１のＬ字状突起１２２ａ、１２２ｂが搬送プレート１１０に跨る位置（第２位置）に移動し、支持していたＩＣコインを搬送プレート１１０上に載置することが可能となる。このように、昇降部材１２１は、ソレノイド１２３の駆動ロッド１２３ａに連動して、ＩＣコインの積層方向に昇降動作する。
【００６２】
図６に示されるように、ストック部１２０に収容したＩＣコインの外周面を当接支持する側の内壁である傾斜壁１２５には、搬送プレート１１０から所定の高さ（ＩＣコインの板厚に最大貯留枚数を乗算した長さ）だけ離れた位置に回収口１２６が開口して形成されている。この回収口１２６は、下方の排出口１２８と回収通路１２７を通して連通しており、ストック部１２０に搬送され一定枚数以上に溢れた最上位置のＩＣコインを排出口１２８側へ落下させて排出する。
【００６３】
次に、図９を参照して、ＩＣコイン処理装置１００の制御システムを説明する。ＩＣコイン制御基板１８０には、リーダーライター部１７０を介してＩＣコインＣから記録データを取得する処理を行うデータ読取部１７２と、当該ＩＣコインＣにデータを記録する処理を行うデータ書込部１７３が接続されている。また、ＩＣコイン制御基板１８０には、搬送プレート１１０をスライドさせる回動モータ１３２を制御するためのモータ制御部１３４と、回動モータ１３２に内蔵され、回動モータ１３２の回転角を検出して搬送プレート１１０の位置制御をするためのロータリエンコーダ１３３が接続されている。
【００６４】
また、ＩＣコイン制御基板１８０には、投入口ゲート１４１を開閉動作させると同時に離脱ストッパ１４２を突出または退避させるソレノイド１４５と、搬送プレート１１０先端側の排出ストッパ１１４を駆動するソレノイド１１７と、昇降部材１２１を昇降動作させるソレノイド１２３が接続されている。
【００６５】
また、既に述べたように、台間玉貸機２０の玉払出制御基板２１０がＩＣコイン制御基板１８０と通信可能に接続され、貸出スイッチ２６が操作されることによる貸出スイッチ信号、及び返却スイッチ２７が操作されることによる返却スイッチ信号等が玉払出制御基板２１０を経由してＩＣコイン制御基板１８０へ入力される。逆にＩＣコイン制御基板１８０は、データ読取部１７２がＩＣコインＣから読み取った価額データを玉払出制御基板２１０に送信して残高データを更新させ、また更新した残高データを残高表示部２５に数値表示させる。
【００６６】
次に、かかる構造のＩＣコイン処理装置１００の動作をフローチャートに従って説明する。なお、ＩＣコイン処理装置１００を制御するＩＣコイン制御基板１８０は、玉払出制御基板２１０と連携して台間玉貸機２０による玉払い出し等の処理を実行している。したがって、ここでは、ＩＣコイン処理装置１００の動作を台間玉貸機２０の動作との関連を交えて説明する。
【００６７】
図１０は、台間玉貸機２０にＩＣコインが投入された時に起動されるプログラムの処理フローを示している。また、図１１は、ＩＣコインが投入されたときの動作を表したＩＣコイン処理装置１００の縦断面図である。
【００６８】
まず、ＩＣコインＣ０がコインプレート２４ａを介して投入されると、下方に傾斜するガイドプレート１５０に案内されながら自重で落下し、搬送プレート１１０の段部１１１ａに当接支持されてコイン保持部１１１に保持される。
【００６９】
ＩＣコイン制御基板１８０のＣＰＵ１８１は、リーダーライター部１７０によるトライアルのデータ送受信または図示しないセンサによりＩＣコインの投入を検知すると（ステップＳ１０１）、ソレノイド１４５を駆動して投入口ゲート１４１をコイン保持部１１１の前端位置に突出させる（ステップＳ１０２）。これにより、別の更なるＩＣコインの投入を一時的に禁止する。
【００７０】
搬送プレート１１０が前進した状態では、ＩＣコインＣ０は、リーダーライター部１７０を介したデータの送受信が可能な位置でコイン保持部１１１により保持される。ＩＣコイン制御基板１８０のデータ読取部１７２は、ＩＣコインＣ０から価額データ、会員ＩＤ等の記録データを読み取る（ステップＳ１０３）。データ通信が不調の場合、若しくは読み取ったデータが不適な場合（ステップＳ１０４：ＮＯ）、ＣＰＵ１８１は、当該ＩＣコインＣ０をコインプレート２４a側へ排出する処理を行う（ステップＳ１０５）。なお、ステップＳ１０５におけるＩＣコインの排出動作は、後述するＩＣコイン返却処理における排出動作（Ｓ３０６〜Ｓ３１１）と同じであるため、ここでは説明を省略する。
【００７１】
ＣＰＵ１８１は、読み取ったデータが所定の形式（フォーマット）を有し正規のＩＣコインであると判断すると（ステップＳ１０４：ＹＥＳ）、当該価額データを玉払出制御基板２１０へ送信する（ステップＳ１０６）。このとき、玉払出制御基板２１０は、所定のメモリ領域に記憶されている残高データに当該価額データが示す金額を加算して更新する。
【００７２】
また、ＩＣコイン制御基板１８０のデータ書込部１７３は、ＩＣコインＣ０の価額データをゼロにクリアする処理を行う（ステップＳ１０７）。そして、後述するストック及び回収処理のプログラムを起動し（ステップＳ１０８）、当該ＩＣコインＣ０をストック部１２０に貯留（追加収容）する。
【００７３】
このように、価額データを保有するＩＣコインが受け付けられ、または台間玉貸機２０に紙幣が投入されて、玉払出制御基板２１０のＲＡＭ（残高データ）に使用可能な残高が記憶されている場合（ステップＳ１０９：ＹＥＳ）、玉払出制御基板２１０は、貸出スイッチ２６の操作を検知すると（ステップＳ１１０：ＹＥＳ）、既に述べたように玉払出ユニット２２０を制御して、所定個数のパチンコ玉を玉払出ノズル２８を介してパチンコ機１０へ放出させる（ステップＳ１１１）。そして、貸し出しにより消費した分の金額を残高データから差し引いて更新する。
【００７４】
また、玉払出制御基板２１０を経由して、返却スイッチ２７の操作信号（返却スイッチ信号）がＩＣコイン制御基板１８０に入力されると、ＣＰＵ１８１は、後述するＩＣコイン返却処理のプラグラムを起動して（ステップＳ１１３）、残高データを精算しＩＣコインを発行させる処理を行う。
【００７５】
次に、図１０のフローチャートに示したステップＳ１０８において起動されるストック及び回収処理の詳細を説明する。図１２は、ＩＣコイン制御基板１８０のＣＰＵ１８１が実行するストック及び回収処理のフローチャートである。また、図１３と図１４は、ストック及び回収処理の動作を表したＩＣコイン処理装置１００の縦断面図である。
【００７６】
これらの図を参照し、プログラムが起動されると、ＣＰＵ１８１は、ソレノイド１４５を駆動し離脱ストッパ１４２をコイン保持部１１１から退避する（ステップＳ２０１）。また、ソレノイド１１７を駆動して排出ストッパ１１４を突出させる（ステップＳ２０２）。
【００７７】
この状態で、回動モータ１３２を駆動し搬送プレート１１０を後退させると（ステップＳ２０３）、コイン保持部１１１にＩＣコインＣ０が保持されたままストック部１２０に搬送されるとともに、ストック部１２０に収容されている最下位置のＩＣコインＣ１の下側にＩＣコインＣ０が挿入される（図１３参照）。
【００７８】
ＣＰＵ１８１は、ソレノイド１２３を駆動し、挿入された最下位置のＩＣコインＣ０を支持して昇降部材１２１を搬送プレート１１０（コイン保持部１１１）から離脱させる（ステップＳ２０４）。
【００７９】
このとき、図１４に示す例のように、ストック部１２０に積層してストックされている最上位置のＩＣコインＣ２が回収口１２６に達した場合、オーバーフローとなり、回収通路１２７に落下して排出口１２８より下方の図示しない回収タンク（１９０）へ回収される。これにより、ＩＣコインを貯留容量の範囲内でストックするようにしている。
【００８０】
そして、ＣＰＵ１８１は、回動モータ１３２を駆動し、搬送プレート１１０を前進させてコイン保持部１１１をデータ処理位置に戻す（ステップＳ２０５）。
【００８１】
次に、図１０のフローチャートに示したステップＳ１１３において起動されるＩＣコイン返却処理を説明する。図１５は、ＩＣコイン制御基板１８０のＣＰＵ１８１が実行するＩＣコインを返却処理するフローチャートである。また、図１６と図１７は、ＩＣコインを返却（事実上は発行）する動作を表したＩＣコイン処理装置１００の縦断面図である。
【００８２】
返却スイッチ２７が押圧操作され、返却処理のプログラムが起動されると、ＣＰＵ１８１は、回動モータ１３２を駆動し搬送プレート１１０を後退させコイン保持部１１１をストック部１２０に位置させる（ステップＳ３０１）。そして、ソレノイド１２３をオフすることで昇降部材１２１を下降させ、支持していた最下位置のＩＣコインＣ０をコイン保持部１１１に載置する（ステップＳ３０２）。また、ＣＰＵ１８１は、ソレノイド１４５を駆動して離脱ストッパ１４２を退避状態にする（ステップＳ３０３）。
【００８３】
この状態（コイン保持部１１１に１枚のＩＣコインを保持した状態）で、ＣＰＵ１８１は、搬送プレート１１０を前進させＩＣコインＣ０をリーダーライター部１７０によるデータ処理可能な位置に搬出する（ステップＳ３０４）。また、ＣＰＵ１８１は、玉払出制御基板２１０から残高データを取得し、価額データに換算して当該ＩＣコインＣ０に記録する（ステップＳ３０５）。同時に、玉払出制御基板２１０のＣＰＵ２１１は、残高データをゼロにクリアする。
【００８４】
次に、ＩＣコイン制御基板１８０のＣＰＵ１８１は、価額データを記録した当該ＩＣコインＣ０の排出処理を実行する。すなわち、ＣＰＵ１８１は、ソレノイド１４５をオフし、バネ１４４の付勢力を利用して離脱ストッパ１４２を突出させ（ステップＳ３０６）、またソレノイド１１７をオフして排出ストッパ１１４をコイン保持部１１１から退避させる（ステップＳ３０７）。また、ＣＰＵ１８１は、ソレノイド１２３を駆動して昇降部材１２１を上昇させ、収容しているＩＣコインを支持して搬送プレート１１０から離脱させる（ステップＳ３０８）。
【００８５】
この状態で、ＣＰＵ１８１が搬送プレート１１０を後退させると（ステップＳ３０９）、コイン保持部１１１にあったＩＣコインＣ０が離脱ストッパ１４２に阻まれてコイン保持部１１１から離脱し、ガイドプレート１５０上のデータ処理位置に残される（図１６参照）。
【００８６】
ＩＣコインＣ０がコイン保持部１１１から完全に離脱した状態で、ＣＰＵ１８１はソレノイド１１７を駆動し排出ストッパ１１４を突出させ（ステップＳ３１０）、回動モータ１３２を駆動して搬送プレート１１０を前進させる（ステップＳ３１１）。これにより、リーダーライター部１７０にあったＩＣコインＣ０は排出ストッパ１１４により押し上げられ、コインプレート２４ａにガイドされて機外へ排出される（図１７参照）。
【００８７】
このように、返却操作が行われると、台間玉貸機２０に残された残高を現金の替わりに再使用可能なＩＣコインを発行して返却している。
【００８８】
本実施形態のＩＣコイン処理装置１００によれば、ＩＣコインの投入と返却（排出）とを共通する１つの開口部１０２（またはＩＣコイン出入口２４）を通して行うことができ、また共通の搬出入機構を介してＩＣコインのデータ処理及び貯留、並びに貯留されたＩＣコインの発行及び回収等を行うことができる。これにより、装置全体の構造を簡素化してコンパクト化することができる。また、データ処理されたＩＣコインをその板厚方向に積層して収容するため、貯留スペース内に従来よりも多くのＩＣコインを貯留することができる。
【００８９】
このように、ＩＣコインの貯留容量を確保しつつ装置の全体構成をコンパクトにすることができるため、台間玉貸機２０等の制約された狭い筐体内スペースに設置する場合でも好適に対応することができる。
【産業上の利用可能性】
【００９０】
本発明のＩＣコイン処理装置は、遊技関連施設の他にも、例えばＩＣコインにポイントサービス機能を付加したコインランドリー等、金銭代用媒体としてＩＣコインを取り扱う商品販売機、またはサービスを提供する施設等に広く適用できるものと考えられる。
【図面の簡単な説明】
【００９１】
【図１】図１はパチンコホールに設けられる遊技施設の構成を表したネットワークシステム図である。
【図２】図２は台間玉貸機の前面外観を表した正面図である。
【図３】図３は台間玉貸機の内部構成を表した側面図である。
【図４】図４は台間玉貸機に内蔵される機器ユニット間の回路構成を表したブロック図である。
【図５】図５（ａ）はＩＣコインの外観を表した図であり、図５（ｂ）はＩＣコインに内蔵されるＩＣチップの回路ブロック図である。
【図６】図６は本発明の一実施形態によるＩＣコイン処理装置の内部構造を表した縦断面図である。
【図７】図７は図６に示されるＡ−Ａ線で切断した矢視断面図であって主に搬送プレートの構造を表した図である。
【図８】図８は図６に示されるＢ−Ｂ線で切断した矢視断面図であって主にストック部の構造を表した図である。
【図９】図９はＩＣコイン処理装置の制御システムを表した回路ブロック図である。
【図１０】図１０は台間玉貸機にＩＣコインが投入されたときに起動されるプログラムに従って制御される主にＩＣコイン処理装置の動作を表したフローチャートである。
【図１１】図１１はＩＣコインが投入されたときの一動作を表したＩＣコイン処理装置の縦断面図である。
【図１２】図１２はストック及び回収処理におけるＩＣコイン処理装置の動作を表したフローチャートである。
【図１３】図１３はストック及び回収処理におけるＩＣコイン処理装置の一動作を表したＩＣコイン処理装置の縦断面図である。
【図１４】図１４はストック及び回収処理におけるＩＣコイン処理装置の一動作を更に表したＩＣコイン処理装置の縦断面図である。
【図１５】図１５は返却処理におけるＩＣコイン処理装置の動作を表したフローチャートである。
【図１６】図１６はＩＣコインを発行（返却）する一動作を表したＩＣコイン処理装置の縦断面図である。
【図１７】図１７はＩＣコインを発行（返却）する一動作を更に表したＩＣコイン処理装置の縦断面図である。
【符号の説明】
【００９２】
１０…パチンコ機                        ２０…台間玉貸機
２１…フロントマスク                    ２２…紙幣投入口
２４…ＩＣコイン出入口                  ２４ａ…コインプレート
２５…残高表示部                        ２６…貸出スイッチ
２７…返却スイッチ                      ２８…玉払出ノズル
２９…筐体                              ５０…通信回線
６０…ＩＣコイン発行機                  ７０…ＩＣコイン精算機
８０…会員管理コンピュータ              ８１…玉計数機
８２…ＰＯＳ端末                        ８２ａ…会員認証機
９０…ＩＣコイン                        ９１…ＩＣチップ
１００…ＩＣコイン処理装置
１０１…筐体                            １０２…開口部
１１０…搬送プレート                    １１１…コイン保持部
１１１ａ…段部                          １１２…コイン載置部
１１３…ラックギア                      １１４…排出ストッパ
１１５…バネ                            １１６…レバー部材
１１７…ソレノイド                      １１８…ガイドプレート
１２０…ストック部                      １２１…昇降部材
１２１ａ、ｂ…側板部                    １２２ａ、ｂ…Ｌ字状突起
１２３…ソレノイド                      １２４…ガイド部
１２５…傾斜壁                          １２６…回収口
１２７…回収通路                        １２８…排出口
１３１…ピニオンギア                    １３２…回動モータ
１３３…ロータリエンコーダ              １３４…モータ制御部
１４１…投入口ゲート                    １４２…離脱ストッパ
１４３…レバー部材                      １４４…バネ
１４５…ソレノイド                      １５０…ガイドプレート
１７０…リーダーライター部              １７２…データ読取部
１７３…データ書込部                    １８０…ＩＣコイン制御基板
１８１…ＣＰＵ                          １８２…ＲＯＭ
１８３…ＲＡＭ                          １８４…通信手段
１９０…回収タンク                      ２１０…玉払出制御基板
２１１…ＣＰＵ                          ２１２…ＲＯＭ
２１３…ＲＡＭ                          ２２０…玉払出ユニット
２３０…紙幣識別装置                    ２４０…通信ユニット
【図１】
2007007161.tif 000003
【図２】
2007007161.tif 000004
【図３】
2007007161.tif 000005
【図４】
2007007161.tif 000006
【図５】
2007007161.tif 000007
【図６】
2007007161.tif 000008
【図７】
2007007161.tif 000009
【図８】
2007007161.tif 000010
【図９】
2007007161.tif 000011
【図１０】
2007007161.tif 000012
【図１１】
2007007161.tif 000013
【図１２】
2007007161.tif 000014
【図１３】
2007007161.tif 000015
【図１４】
2007007161.tif 000016
【図１５】
2007007161.tif 000017
【図１６】
2007007161.tif 000018
【図１７】
2007007161.tif 000019